(57)【要約】【目的】包装充填機の部品が外れたり、一部欠損することが無く、一部部品の位置ずれによって、包装材料の内面を傷けることが無い、信頼性の高い包装充填機を提供する。【構成】包装充填機のシャーピン２０が、抜け落ち防止用端部２２を有する棒状本体２１と、抜け落ち防止用端部２２と反対端に設けられたリング孔２３に挿入された概ね２重に巻かれたリング２４とからなる。抜け落ち防止用端部２２が、シャーピンの接続孔からの抜け落ちを防止し、その他端において、リング孔２３に挿入された概ね２重に巻かれたリング２４が、シャーピンの接続孔からの抜け落ちを防止する。【選択図】        図１
2005008241.tif 000002
【特許請求の範囲】
【請求項１】
ロール状包装材料ウェブを搬送する搬送手段、
ストリップテープを該包装材料ウェブの一端に接合するストリップテープアプリケータ、
該包装材料の両端部を重ねて、該包装材料をチューブ状に成形する成形ローラ、
該オーバーラップで縦線方向にチューブ縦方向にシールして縦シール帯域を形成する縦シール手段、
該チューブ内に液体食品を充填する充填装置、
シールジョー及び対向ジョーにより挟持し、横断方向に横シールして横シール帯域を形成する横シール手段、
個々の枕状予備成形体に切り離す切断手段及び、
切り離された枕状予備成形体のフラップを折り曲げて最終形形状の包装容器に成形するファイナルフォルダーからなる包装機であって、
充填装置が、該チューブ内に垂下された充填パイプ、該充填パイプの廻りに上下動可能に配置されたフロート、該充填パイプに接続されたパイプリンクと、該フロートに接続されたフロートリンクと、該パイプリンクと該フロートリンクとを接続するシャーピンとからなり、該フロートの上下動に応じて充填パイプの流量を制御し、
シャーピンが、該パイプリンクと該フロートリンクとの接続孔に挿入され、抜け落ち防止用端部を有する棒状本体と、抜け落ち防止用端部と反対端に設けられたリング孔に挿入された概ね２重に巻かれたリングとからなる、
包装充填機。
【請求項２】
該リングが、丸形状若しくは楕円形状である、請求項１記載の包装充填機。
【請求項３】
該リングの片方若しくは両方の末端部が、該リング内側向きに曲げられている、請求項１記載の包装充填機。
【請求項４】
該リングの１重環の寸法と２重環の寸法の差が、リング孔径長さより少し長い、、請求項１記載の包装充填機。
【発明の詳細な説明】
【０００１】
【発明の属する技術分野】
本発明は、ジュース、牛乳など飲料が充填された包装容器を製造する包装充填機に関する。
【０００２】
【従来の技術】
ジュースや牛乳などの液体食品などを充填した幾つかの容器においては、所定の折り目線を有するウェブ状包装積層材料をチューブ状に成形し、チューブの縦線方向に縦シールし、チューブ状包装材料内に食品を充填し、所定間隔毎にチューブ状包装材料を押圧し横断方向の横シールにより密封し、横シール帯域中間で切断して枕状予備成形体を得、折り目線に沿って折り畳むことにより形成された横シール帯域を含むフラップを容器側壁及び容器底面にシールし、最終形状の容器を得る。
【０００３】
容器の充填包装機の一例の概要を、図３に示す。この例に示す充填機で、内外層に熱可塑性材料層を有しロール状に巻かれた包装材料ウェブ１を巻き出し、ローラにより充填機内を搬送する。ストリップテープ２をストリップテープアプリケータ３により、包装材料ウェブの一端に接合する。滅菌剤槽４内を包装材料ウェブが通過して滅菌する。エアーナイフ５により滅菌剤を除去する。成形ローラ６によりチューブ状に成形する。包装材料の両端部を重ねてオーバーラップを形成し、オーバーラップで縦線方向に縦シールエレメント８によりチューブ縦方向にシールする。そのチューブ内に充填パイプ７から液体食品を充填する。このチューブを包装容器１個分に相当する長さ分だけ下方に送りながら、シールジョー１０及び対向ジョー１１により挟持する。横断方向に横シールして２本の横シール帯域を形成し、同時に枕状予備成形体１２に連続的に成形する。枕状予備成形体のシール帯域の中間をナイフなどにより切断して個々の枕状予備成形体１３に切り離する。ファイナルフォルダー１５において切り離された枕状予備成形体の上下のフラップを折り曲げて最終形態の包装充填容器１４に成形する。
【０００４】
【発明が解決しようとする課題】
図３に示す充填パイプ７は、チューブ内に垂下され、充填装置を形成する。充填装置は、充填パイプの廻りに上下動可能に配置されたフロート、フロートと充填パイプとを接続するリンクとからなる。フロートの上下動に応じて充填パイプの流量を制御する。
【０００５】
リンクには、フロートの機械的な上下動を伝えるために、シャフト、ナット、ネジ、アーム及びシャーピンなどの多くの細かい部品を含む。激しい動き、長期の使用、絶え間ない振動により、その部品が外れたり、一部欠損する恐れがある。図４に、シャーピンの一従来例を示す。この例では、シャーピン４１が、リンクの接続孔に挿入され、止め端部を有する棒状本体４２と、止め端部と反対端に設けられた先端部４３と、先端部４３と本体４２とを回動容易に接続するリベットピン４４とからなる。図４（ｃ）に示すように、リベットピン４４を中心に先端部４３が折れ曲がり、フロートとリンクを固定する。
特に、充填パイプに接続されたパイプリンクとフロートに接続されたフロートリンクとを接続するシャーピンが、リベットピンの頭が磨耗して外れたり、一部欠損する恐れがある。また、折れ曲がり先端部が動きそれらが位置ずれによって、飛び出し、包装材料の内面を傷ける恐れがある。
【０００６】
本発明は、包装充填機の部品が外れたり、一部欠損することが無く、一部部品の位置ずれによって、包装材料の内面を傷けることが無い、信頼性の高い包装充填機を提供することを目的とする。
【０００７】
【課題を解決するための手段】
この課題を解決する本発明の包装充填機は、ロール状包装材料ウェブを搬送する搬送手段、ストリップテープを該包装材料ウェブの一端に接合するストリップテープアプリケータ、包装材料の両端部を重ねて、該包装材料をチューブ状に成形する成形ローラ、オーバーラップで縦線方向にチューブ縦方向にシールして縦シール帯域を形成する縦シール手段、チューブ内に液体食品を充填する充填装置、シールジョー及び対向ジョーにより挟持し、横断方向に横シールして横シール帯域を形成する横シール手段、個々の枕状予備成形体に切り離す切断手段及び、切り離された枕状予備成形体のフラップを折り曲げて最終形形状の包装容器に成形するファイナルフォルダーからなる包装機であって、充填装置が、該チューブ内に垂下された充填パイプ、該充填パイプの廻りに上下動可能に配置されたフロート、該充填パイプに接続されたパイプリンクと、該フロートに接続されたフロートリンクと、該パイプリンクと該フロートリンクとを接続するシャーピンとからなり、該フロートの上下動に応じて充填パイプの流量を制御し、シャーピンが、該パイプリンクと該フロートリンクとの接続孔に挿入され、抜け落ち防止用端部を有する棒状本体と、抜け落ち防止用端部と反対端に設けられたリング孔に挿入された概ね２重に巻かれたリングとからなる構成を有する。
【０００８】
これにより、包装充填機の部品であるシャーピンが外れたり、一部欠損することが実質的に無い。また、シャーピンの位置ずれによって、一部突出して包装材料の内面を傷けることが無い。包装容器内部に異物が混入が無く、しかも、内容物が接する包材内面が保護されるので、包装充填機は高い信頼性を有する。
【０００９】
【発明の実施の形態】
本発明の請求項１に記載の包装充填機の発明は、
ロール状包装材料ウェブを搬送する搬送手段、
ストリップテープを該包装材料ウェブの一端に接合するストリップテープアプリケータ、
該包装材料の両端部を重ねて、該包装材料をチューブ状に成形する成形ローラ、
該オーバーラップで縦線方向にチューブ縦方向にシールして縦シール帯域を形成する縦シール手段、
該チューブ内に液体食品を充填する充填装置、
シールジョー及び対向ジョーにより挟持し、横断方向に横シールして横シール帯域を形成する横シール手段、
個々の枕状予備成形体に切り離す切断手段及び、
切り離された枕状予備成形体のフラップを折り曲げて最終形形状の包装容器に成形するファイナルフォルダーからなる包装機であって、
充填装置が、該チューブ内に垂下された充填パイプ、該充填パイプの廻りに上下動可能に配置されたフロート、該充填パイプに接続されたパイプリンクと、該フロートに接続されたフロートリンクと、該パイプリンクと該フロートリンクとを接続するシャーピンとかなり、該フロートの上下動に応じて充填パイプの流量を制御し、
シャーピンが、該パイプリンクと該フロートリンクとの接続孔に挿入され、抜け落ち防止用端部を有する棒状本体と、抜け落ち防止用端部と反対端に設けられたリング孔に挿入された概ね２重に巻かれたリングとからなることを特徴とする。
【００１０】
請求項２に記載の包装充填機の発明は、リングが、丸形状若しくは楕円形状であることを特徴とする。
【００１１】
請求項３に記載の包装充填機の発明は、リングの片方若しくは両方の末端部が、該リング内側向きに曲げられていることを特徴とする。
【００１２】
請求項４に記載の包装充填機の発明は、リングの１重環の寸法と２重環の寸法の差が、リング孔径長さより少し長いことを特徴とする。
【００１３】
上記構成を有するこの発明は以下の作用を有する。
本発明における包装充填機では、先ず、搬送手段によって、ロール状包装材料ウェブを搬送する。次いで、ストリップテープアプリケータにおいて、ストリップテープを該包装材料ウェブの一端に接合する。成形ローラにおいて、包装材料の両端部を重ねて、該包装材料をチューブ状に成形する。縦シール手段が、オーバーラップで縦線方向にチューブ縦方向にシールして縦シール帯域を形成する。充填装置において、チューブ内に液体食品を充填する。横シール手段は、シールジョー及び対向ジョーにより挟持し、横断方向に横シールして横シール帯域を形成する。切断手段が個々の枕状予備成形体に切り離す。ファイナルフォルダーにおいて、切り離された枕状予備成形体のフラップを折り曲げて最終形形状の包装容器に成形する。
【００１４】
この発明において、充填装置の充填パイプから液体食品がチューブ内に流し込まれる。その液面に、充填パイプの廻りに配置されたフロートがその液量により上下動する。充填パイプに接続されたパイプリンクとフロートに接続されたフロートリンクとが、フロートの動きを伝える。そのフロートの上下動に応じて充填パイプの流量を制御する。パイプリンクとフロートリンクとを接続するシャーピンが、パイプリンクとフロートリンクとの接続孔に挿入され、抜け落ち防止用端部を有する棒状本体と、抜け落ち防止用端部と反対端に設けられたリング孔に挿入された概ね２重に巻かれたリングとからなる。
抜け落ち防止用端部が、シャーピンの接続孔からの抜け落ちを防止し、その他端において、リング孔に挿入された概ね２重に巻かれたリングが、シャーピンの接続孔からの抜け落ちを防止する。
【００１５】
この発明の包装充填機の好ましい態様において、リングが、丸形状若しくは楕円形状であることを特徴とする。
この態様において、角ばった箇所が無く、万が一にも、位置がずれて包材内面に接触してもその内面を傷つけることも無い。
【００１６】
この発明の包装充填機の好ましい態様において、リングの片方若しくは両方の末端部が、該リング内側向きに曲げられていることを特徴とする。
この態様においては、シャーピン挿入作業が、リングの片方若しくは両方の末端部がリング内側向きに曲げられていることから、リング孔に挿入することが容易である。
【００１７】
この発明の包装充填機の好ましい態様において、リングの１重環の寸法と２重環の寸法の差が、リング孔径長さより少し長いことを特徴とする。
リングの１重環の寸法と２重環の寸法の差が、リング孔径長さ分より少しだけ長いことから、シャーピン固定の位置がリンク孔位置よりリングの端がある範囲内に固定でき、端にリングを孔に嵌めるだけで適正な位置に設定することができる。
以下、本発明の実施の形態について、図１から図２を用いて説明する。
【００１８】
図１は、この発明によるシャーピンの一実施の形態を示す概略図である。
このシャーピン２０が、抜け落ち防止用端部２２を有する棒状本体２１と、抜け落ち防止用端部２２と反対端に設けられたリング孔２３に挿入された概ね２重に巻かれたリング２４とからなる。
抜け落ち防止用端部２２が、シャーピンの接続孔からの抜け落ちを防止し、その他端において、リング孔２３に挿入された概ね２重に巻かれたリング２４が、シャーピンの接続孔からの抜け落ちを防止する。
図１（ａ）は、分解図であり、図１（ｂ）は組み立て状態を示す概略図である。
【００１９】
図２は、この発明による充填装置の一実施の形態を示す概略図である。
充填装置が、チューブ１内に垂下された充填パイプ７、充填パイプ７の廻りに上下動可能に配置されたフロート３１、充填パイプ７に接続されたパイプリンク３２と、フロート３１に接続されたフロートリンク３３と、パイプリンク３２とフロートリンク３３とを接続するシャーピン３０とからなり、フロート３１の上下動に応じて充填パイプ７の流量を制御する。
この態様において、充填装置の充填パイプ７から液体食品がチューブ１内に流し込まれる。その液面に、充填パイプ７の廻りに配置されたフロート３１がその液量により上下動する。充填パイプ７に接続されたパイプリンク３３とフロートに接続されたフロートリンク３２とが、フロート３１の動きを伝える。そのフロート３１の上下動に応じて充填パイプ７の流量を制御する。
【００２０】
【発明の効果】
以上のように本発明によれば、包装充填機の部品であるシャーピンが外れたり、一部欠損することが実質的に無い。また、シャーピンの位置ずれによって、一部突出して包装材料の内面を傷けることが無い。包装容器内部に異物が混入が無く、しかも、内容物が接する包材内面が保護されるので、包装充填機は高い信頼性を有する。
【図面の簡単な説明】
【図１】この発明によるシャーピンの一実施の形態を示す概略図
【図２】この発明による充填装置の一実施の形態を示す概略図
【図３】包装充填機の概略図
【図４】従来のシャーピンの一実施の形態を示す概略図
【符号の説明】
２０  ・・シャーピン
２４  ・・リング
【図１】
2005008241.tif 000003
【図２】
2005008241.tif 000004
【図３】
2005008241.tif 000005
【図４】
2005008241.tif 000006